(57)【特許請求の範囲】
【請求項１】
板状の基部と、前記基部の一端側に保護帽の外周縁を収納可能に形成する底壁と、前記基部の他端側に前記板状の面直方向に波状に凹凸し、前記凸となる箇所が受け部として機能する凹凸部と、前記凹凸部における前記基部とは反対側に、底部を有する切り込みを間として離隔した位置に弓状に曲がる湾曲部を有して延在する押さえ片と、を有するホルダが、前記保護帽の外周縁が前記底壁に収納されることにより、前記保護帽に装着された状態において、前記ホルダに着脱可能な測定装置であって、
筐体と、
前記筐体から前記保護帽の側となる方向に突出する突出部及び前記突出部から下方に曲げられた折曲部を有する連結部と、前記突出部が突出する前記保護帽の側となる方向に対して、前記折曲部から左右に直交する方向に延在し、前記ホルダの前記受け部と係合して保持される係合部と、を含む取付部と、
を備える測定装置。
【請求項２】
前記ホルダにおける前記切り込みに前記連結部の前記突出部を挿通させ、前記係合部が前記ホルダの前記受け部と係合して保持された際に、前記ホルダにおける前記切り込みの前記底部に対して底壁が当接することにより、当該測定装置の回転を防止する回転防止用突起を前記連結部に備える
請求項１に記載の測定装置。
【請求項３】
前記ホルダにおける前記切り込みに前記連結部の前記突出部を挿通させ、前記係合部が前記ホルダの前記受け部と係合して保持された際に、前記係合部から下方に延在する板状部材が前記保護帽に当接することにより、当該測定装置の回転を防止する回転防止部を前記係合部に備える
請求項１に記載の測定装置。
【請求項４】
前記取付部は、前記突出部と前記折曲部との境界付近及び前記係合部の両端付近に、前記保護帽の側となる方向に突出し、前記保護帽に当接するための突起部を備える
請求項１乃至３のいずれか１項に記載の測定装置。
【請求項５】
板状の基部と、
前記基部の一端側に保護帽の外周縁を収納可能に形成する底壁と、
前記基部の他端側に前記板状の面直方向に波状に凹凸し、前記凸となる箇所が受け部として機能する凹凸部と、
前記凹凸部における前記基部とは反対側に、底部を有する切り込みを間として離隔した位置に弓状に曲がる湾曲部を有して延在する押さえ片と、
を有するホルダと、
前記ホルダが、前記保護帽の外周縁が前記底壁に収納されることにより、前記保護帽に装着された状態において、前記ホルダに着脱可能な測定装置であって、
筐体と、
前記筐体から前記保護帽の側となる方向に突出する突出部及び前記突出部から下方に曲げられた折曲部を有する連結部と、前記突出部が突出する前記保護帽の側となる方向に対して、前記折曲部から左右に直交する方向に延在し、前記ホルダの前記受け部と係合して保持される係合部と、を含む取付部と、
を有する測定装置と、
を備える装着システム。
【発明の詳細な説明】
【技術分野】
【０００１】
本発明は、測定装置および装着システムに関する。
【背景技術】
【０００２】
熱中症などの暑熱環境下における身体適応の障害の発生を予防するために、湿球黒球温度が運動の指針を示すための指標として用いられている。湿球黒球温度を測定するために多様な測定装置が提案されている（例えば、特許文献１参照）。
【０００３】
特許文献１に記載の測定装置は、例えば屋外等の工事現場の作業者に使用される場合がある。作業者の腰回りにはベルト等を介して作業に必要な工具が保持されており、このような格好で作業者は種々の作業を行う。測定装置を、ベルトに装着したり紐等で首から吊り下げたりすると、他の工具と接触して測定装置が破損するおそれがあり、また、工具の持ち運びや作業に支障をきたすおそれがある。
【先行技術文献】
【特許文献】
【０００４】
【特許文献１】特開２０１４−１８１９７３号公報
【発明の概要】
【発明が解決しようとする課題】
【０００５】
ところで、工事現場の作業者は通常、頭部を保護するためのヘルメットを装着している。このヘルメットには、ペン、鉛筆等の筆記用具やペンライト（以下、ペン等と称する）を着脱することができるホルダが装着されている。ホルダは、例えば、弾性変形する部材により形成されており、その一部がヘルメットの外側面に押し当てられるようにしてヘルメットに装着されている。このホルダに対して測定装置を容易に着脱（取り付けおよび取り外し）できるようにすれば、他の工具等との接触により測定装置が破損することなく、また、作業に支障をきたすことなく測定装置を使用することができる。
【０００６】
本発明は上述した点に鑑みてなされたものであり、ヘルメットの外周縁に装着されたペン等を保持するホルダに対して、測定装置を容易に着脱することができるようにした測定装置および装着システムを提供することを目的の一つとする。
【課題を解決するための手段】
【０００７】
上記課題を解決するために、本発明の一の態様は、板状の基部と、基部の一端側に保護帽の外周縁を収納可能に形成する底壁と、基部の他端側に板状の面直方向に波状に凹凸し、凸となる箇所が受け部として機能する凹凸部と、凹凸部における基部とは反対側に、底部を有する切り込みを間として離隔した位置に弓状に曲がる湾曲部を有して延在する押さえ片と、を有するホルダが、保護帽の外周縁が底壁に収納されることにより、保護帽に装着された状態において、ホルダに着脱可能な測定装置であって、筐体と、筐体から保護帽の側となる方向に突出する突出部及び突出部から下方に曲げられた折曲部を有する連結部と、突出部が突出する保護帽の側となる方向に対して、折曲部から左右に直交する方向に延在し、ホルダの受け部と係合して保持される係合部と、を含む取付部と、を備える測定装置である。この構成により、ホルダに対して測定装置を容易に着脱することができる。
【０００８】
測定装置において、ホルダにおける切り込みに連結部の突出部を挿通させ、係合部がホルダの受け部と係合して保持された際に、ホルダにおける切り込みの底部に対して底壁が当接することにより、当該測定装置の回転を防止する回転防止用突起を連結部に備えるようにしても良い。
また、測定装置において、ホルダにおける切り込みに連結部の突出部を挿通させ、係合部がホルダの受け部と係合して保持された際に、係合部から下方に延在する板状部材が保護帽に当接することにより、当該測定装置の回転を防止する回転防止部を係合部に備えるようにしても良い。
この構成により、測定装置が自重や衝撃等により回転し、傾いたり落下してしまうことを防止できる。
【０００９】
測定装置において、取付部は、突出部と折曲部との境界付近及び係合部の両端付近に、保護帽の側となる方向に突出し、保護帽に当接するための突起部を備えるようにしても良い。この構成により、測定装置を安定した姿勢、例えば、測定装置の表示部が略垂直となる姿勢で保持することができる。
【００１１】
本発明の他の態様は、板状の基部と、基部の一端側に保護帽の外周縁を収納可能に形成する底壁と、基部の他端側に板状の面直方向に波状に凹凸し、凸となる箇所が受け部として機能する凹凸部と、凹凸部における基部とは反対側に、底部を有する切り込みを間として離隔した位置に弓状に曲がる湾曲部を有して延在する押さえ片と、を有するホルダと、ホルダが、保護帽の外周縁が底壁に収納されることにより、保護帽に装着された状態において、ホルダに着脱可能な測定装置であって、筐体と、筐体から保護帽の側となる方向に突出する突出部及び突出部から下方に曲げられた折曲部を有する連結部と、突出部が突出する保護帽の側となる方向に対して、折曲部から左右に直交する方向に延在し、ホルダの受け部と係合して保持される係合部と、を含む取付部と、を有する測定装置と、を備える装着システムである。これにより、ホルダを使用してヘルメット等の保護帽に測定装置を着脱することができる。
【発明の効果】
【００１２】
本発明の少なくとも一の実施形態によれば、ヘルメットの外周縁に装着されたペン等を保持するホルダに対して、測定装置を容易に着脱することができる。なお、本明細書において例示された効果により本発明の内容が限定して解釈されるものではない。
【図面の簡単な説明】
【００１３】
【図１】図１は、本発明の一実施形態におけるホルダの外観を示す斜視図である。
【図２】図２は、本発明の一実施形態における測定装置を説明するための正面図である。
【図３】図３は、本発明の一実施形態における測定装置を説明するための右側面図である。
【図４】図４は、本発明の一実施形態における測定装置を説明するための背面図である。
【図５】図５は、本発明の一実施形態における測定装置を説明するための斜視図である。
【図６】図６は、本発明の一実施形態における測定装置の取付部を説明するための正面図である。
【図７】図７は、本発明の一実施形態における測定装置の取付部を説明するための右側面図である。
【図８】図８は、本発明の一実施形態における測定装置の取付部を説明するための左側面図である。
【図９】図９は、本発明の一実施形態における測定装置の取付部を説明するための平面図である。
【図１０】図１０は、本発明の一実施形態における測定装置の使用状態の一例を説明するための図である。
【図１１】図１１は、本発明の一実施形態における測定装置の使用状態の一例を説明するための図である。
【図１２】図１２Ａおよび図１２Ｂは、変形例を説明するための図である。
【発明を実施するための形態】
【００１４】
以下、本発明の一実施形態等について図面を参照しながら説明する。なお、説明は以下の順序で行う。
＜１．一実施形態＞
＜２．変形例＞
但し、以下に示す実施形態等は、本発明の技術思想を具体化するための構成を例示するものであって、本発明は例示された構成に限定されるものではない。なお、特許請求の範囲に示される部材を、実施形態の部材に特定するものではない。特に、実施形態に記載されている構成部材の寸法、材質、形状、その相対的配置、上下左右等の方向の記載等は特に限定する旨の記載がない限りは、本発明の範囲をそれのみに限定する趣旨ではなく、単なる説明例にすぎない。なお、各図面が示す部材の大きさや位置関係等は、説明を明確にするため誇張していることがあり、また、図示が煩雑となることを防止するために、参照号符号の一部のみを図示する場合もある。さらに以下の説明において、同一の名称、符号については同一もしくは同質の部材を示しており、重複する説明を適宜省略する。さらに、本発明を構成する各要素は、複数の要素を同一の部材で構成して一の部材で複数の要素を兼用する態様としてもよいし、逆に一の部材の機能を複数の部材で分担して実現することもできる。また、実施形態において説明された内容は、適宜、変形例に適用可能である。
【００１５】
＜１．一実施形態＞
始めに、本発明の一実施形態について概略的に説明する。本発明の一実施形態における測定装置は、例えば熱中症計である。熱中症計は、例えば、気温、湿度から熱中症指標値（ＷＢＧＴ（湿球黒球温度））を算出し、熱中症の予防基準レベル等を表示する装置である。なお、熱中症指標値（ＷＢＧＴ（湿球黒球温度））は、人体の熱収支に影響の大きい湿度、輻射熱、気温の３つを取り入れた指標で、乾球温度、湿球温度、黒球温度の値を使って算出することで求められるものであり、暑さの厳しさの程度を示す指数である。
【００１６】
「ホルダについて」
図１は、本発明の一実施形態におけるホルダの外観を示す。ホルダ１は、例えば、ある程度柔軟性を有し、バネとして機能する材質の合成樹脂材を一体的に成形することで得られるものであり、ペン等や後述する熱中症計を保持するものである。図１に示すように、ホルダ１は、板状の基部１０を有しており、基部１０は、ヘルメット側（内側）に向く内壁１０ａと、内壁１０ａの反対側（外側）である外壁１０ｂとを有している。
【００１７】
基部１０の一端側には、底壁１１が形成されている。底壁１１は、例えば、基部１０の端部が外側から内側に折り曲げられた、断面略Ｕ字状の形状を成している。詳細は後述するが、底壁１１により区画された内部空間にヘルメットの外周縁が収納される。すなわち、底壁１１がヘルメットの外周縁に取り付け可能な取付部の一例として機能する。基部１０の内壁１０ａと底壁１１の先端付近との間には、ヘルメットの外周縁の肉厚よりやや薄い程度の隙間が形成されている。底壁１１の先端には、ヘルメットの外周縁を挿入し易くするために、内部空間の開放端を拡開するように折り曲げられた誘い部１１ａが形成されている。基部１０の内壁１０ａの下側には、外側から内側に向けてやや凸となる鍔受け部１２が形成されている。
【００１８】
基部１０の他端側には、内側および外側に波状に凹凸する凹凸部１３が形成されている。凹凸部１３において、内側から外側に向かって凸となる箇所が受け部１３ａとして機能する。受け部１３ａは、ペン等や熱中症計の係合部（詳細は後述する）を保持するものである。凹凸部１３の一端側（基部１０と反対側）には、上方に向かって延在する押さえ片１６、１７が離隔した位置に形成されている。押さえ片１６、１７は、弓状に曲がる湾曲部１６ａ、１７ａをそれぞれ有している。押さえ片１６、１７の間には略Ｕ字形状を成し底部１５ａを有する切り込み１５が形成されている。以上のように構成されたホルダ１がヘルメットに着脱自在とされる。なお、ホルダ１のヘルメットへの装着方法については後述する。
【００１９】
「測定装置について」
次に、本発明の一実施形態における測定装置について説明する。上述したように、本発明の一実施形態における測定装置は、熱中症計（熱中症計２）である。熱中症計２は、例えば利用者が携行可能な程度の大きさとされている。図２乃至図５は、熱中症計２の外観の一例を示しており、図２は熱中症計２の正面図、図３は熱中症計２の右側面図、図４は熱中症計２の背面図、図５は熱中症計２の斜視図である。なお、図２乃至図５を参照してなされる測定装置に関する説明では、図２を基準にして上下、左右、前後（手前側および奥行き側）方向を規定する。また、図４では、説明の便宜を考慮して、センサ部およびセンサカバーの図示を省略している。
【００２０】
熱中症計２は、筐体（ケース）２１と、黒球２２と、温度センサ部２３と、センサカバー２４と、取付部３とを備えている。筐体２１は、例えば円盤状を成しており、樹脂等から構成されている。筐体２１の正面には、液晶等から成る表示部２１ａが形成されている。表示部２１ａは、熱中症計２が計測した湿球黒球温度、気温、湿度、予防基準レベル等の各種の情報を表示する。筐体２１の背面（図４参照）には、筐体２１の内部と外部とを連通させる孔である通気孔が設けられている。通気孔は、例えば、背面の上側に１個（通気孔２１ｂ）、背面の下側に２個（通気孔２１ｃ、２１ｄ）の計３個設けられている。なお、通気孔の個数や形成位置は適宜、変更できる。また、警告音を出すスピーカ等を取り付けるためのスピーカ孔が筐体２１に設けられていてもよい。
【００２１】
筐体２１の背面の中央付近には、筐体２１内部に電池を収納するための電池蓋２１ｅが設けられている。電池蓋２１ｅにはネジ穴（後述の図６等における２１ｆ）が形成されている。ネジ穴２１ｆに雄ねじ２５を差し込み、筐体２１に設けられた雌ねじと雄ねじ２５とを螺合することにより電池蓋２１ｅを筐体２１に取り付けることができる。なお、図４では筐体２１に電池蓋２１ｅが取り付けられた状態が示されている。筐体２１の右側面には、音量調整や各種設定を行うための操作部２１ｇが設けられている。なお、操作部２１ｇは、筐体２１の前面や背面に設けられていてもよく、ボタン、ダイヤル、カウントアップキー等、種々の形状を採用することができる。表示部２１ａをタッチパネルとして構成し、タッチパネルを操作部２１ｇとして機能させることもできる。
【００２２】
黒球２２は、筐体２１の上側に配置された黒色の球体である。黒球２２は、筐体２１から上側に突出するように設けられている。黒球２２は、熱中症計２の通常使用時には、筐体２１よりも上側になるように配置される。黒球２２の内部には、温度センサが設けられている。この温度センサは、黒球２２内部における温度（黒球温度）を検出し輻射熱を得るセンサである。
【００２３】
温度センサ部２３は、例えば、筐体２１から下方に突出する位置に設けられた柱状のものである。温度センサ部２３は、周囲には温度センサ部２３内外と連通する複数の孔部２３ａが形成されており、気温を検出する温度センサを内部に備えている。また、熱中症計２は、湿度を検出する湿度センサを備えている。湿度センサは、例えば、筐体２１内部における通気孔２１ｃまたは通気孔２１ｄの近傍に配置されている。
【００２４】
センサカバー２４は、温度センサ部２３を保護するものである。センサカバー２４は、例えば、温度センサ部２３の前側を保護するセンサカバー２４ａと、温度センサ部２３の後側を保護するセンサカバー２４ｂとから成る。各センサカバーの端部が筐体２１に取り付けられ支持されている。
【００２５】
「取付部について」
次に、熱中症計２が有する取付部３について、上述した図３、４に加え、図６乃至図９を参照して説明する。図６は取付部３の構成例を説明するための正面図、図７は取付部３の構成例を説明するための右側面図、図８は取付部３の構成例を説明するための左側面図、図９は取付部３の構成例を説明するための平面図である。なお、以下になされる取付部に関する説明では、図６を基準にして上下、左右方向を規定する。また、電池蓋２１ｅを基準にして電池蓋２１ｅから筐体２１の内部に向かう方向（図６における奥行き方向）を内側または前方側と称し、反対側（筐体２１の背面方向であり、図６における手前方向）を外側または後方側と称し、図７乃至図９でも同様の表現を適宜、使用する。
【００２６】
取付部３は、連結部３１と係合部３２とを有している。連結部３１は、筐体２１と係合部３２とを連結するためのものである。一実施形態における連結部３１は、例えば、円筒状の部材がＬ字状に折り曲げられた形状を成している。連結部３１は、電池蓋２１ｅの背面から外側（第１の方向の一例）に突出する突出部３１ａと、突出部３１ａを途中から下方に折り曲げられることにより形成される折曲部３１ｂとを有している。
【００２７】
この連結部３１を介して係合部３２が筐体２１に対して連結されている。係合部３２は、例えば、突出部３１ａが突出する方向に対して略直交する方向（第２の方向の一例）に延在し、折曲部３１ｂの先端付近に接続されている円筒状の部材である。折曲部３１ｂの中央付近等に係合部３２が接続されていてもよい。係合部３２は、熱中症計２をホルダ１に装着した際に受け部１３ａと係合し、受け部１３ａにより保持されるものである。なお、連結部３１および係合部３２は、樹脂成形等により一体的に形成してもよく、別々に形成しネジ等の結合部材、組み付け、接着、溶接等により接続するようにしてもよい。
【００２８】
連結部３１の内側の周面には、回転防止部の一例である回転防止用突起３３が設けられている。回転防止用突起３３は、底壁３３ａを有する突起であり、熱中症計２がホルダ１に取り付けられた際に熱中症計２が前後方向（ヘルメットに対面する方向）に回転してしまうことを防止するものである。熱中症計２をホルダ１に装着した際に、ホルダ１の切り込み１５の底部１５ａに対して底壁３３ａが当接する。
【００２９】
取付部３は、さらに、１または複数の突起部を有している。突起部は、ヘルメットの表面に当接することで、ホルダ１に取り付けられた熱中症計２の姿勢を安定して保つ役割を果たす。取付部３は、例えば３個の突起部を有している。具体的には、取付部３は、突出部３１ａと折曲部３１ｂとの境界付近における外側表面から、突出部３１ａの突出方向と同方向に突出する突起部３５ａを有している。また、取付部３は、係合部３２の外側表面に形成された略平坦な箇所の両端付近から、突出部３１ａの突出方向と同方向に突出する突起部３５ｂ、３５ｃを有している。各突起部の先端は、やや丸みを帯びた形状を成している。
【００３０】
３個の突起部のうち、通常使用時の熱中症計２の姿勢において相対的に上方に形成された突起部３５ａの大きさが、下方に形成される突起部３５ｂ、３５ｃの大きさより大きくなるように、各突起部の大きさが設定されている。突起部の大きさは、例えば、突起部の突出方向における長さにより規定することができる。換言すれば、３個の突起部のうち、相対的に上方に形成された突起部３５ａの先端が、下方に形成される突起部３５ｂ、３５ｃの先端より外側に位置するように、各突起部の大きさが設定されている。なお、略同じ高さ位置に形成されている突起部３５ｂ、３５ｃの大きさは略同じ大きさに設定されている。
【００３１】
なお、熱中症計２の電気的な構成についての説明は省略するが、例えば、上述した特許文献１に開示された内容を適用することができる。
【００３２】
「使用状態について」
次に、図１０および図１１を参照して、本発明の一実施形態における熱中症計２の使用状態の一例について説明する。図１０は使用状態の概要を説明するための図であり、図１１はヘルメットに装着されたホルダ１に対して、熱中症計２が装着された状態を示す図である。なお、図１１では、ヘルメットの一部のみを図示している。
【００３３】
概略的に説明すれば、図１０に示すように、ヘルメット４の左右方向のいずれかにホルダ１が装着される。ヘルメット４に装着されたホルダ１に対して熱中症計２を取り付けることができ、また、熱中症計２をホルダ１から取り外すことができる。
【００３４】
図１１を参照して、ヘルメット４に対するホルダ１の取付方法およびホルダ１に対する熱中症計２の取付方法を説明する。なお、以下になされる熱中症計２の使用状態の説明では、図１１における右側（ヘルメット４を装着するユーザ側）を内側と称し、反対の左側を外側と適宜、称する。
【００３５】
ホルダ１は、例えば以下のようにしてヘルメット４に装着することができる。ヘルメット４の外周縁４２に対してホルダ１を下方から差し込み、底壁１１の誘い部１１ａ付近を内側に向かって弾性変形させながら隙間を広げ、ヘルメット４の外周縁４２を底壁１１により形成される内部空間内に挿入する。この操作により、ヘルメット４の外周縁４２が底壁１１により挟持されるとともに、湾曲部１６ａ、１７ａ付近がヘルメット４の外側面４１に押し当てられるような状態でホルダ１がヘルメット４に装着される。なお、図１１に示すように、ヘルメット４の外周縁４２に鍔部が形成されている場合には当該鍔部が鍔受け部１２により係止されるため、ホルダ１をヘルメット４に確実に装着することができる。
【００３６】
ヘルメット４に装着されたホルダ１に対して、例えば、以下のようにして熱中症計２を取り付けることができる。熱中症計２の突出部３１ａをホルダ１の上方から切り込み１５に挿通させるとともに、係合部３２を押さえ片１６、１７の内側に配置する。そして、熱中症計２を下方に押し込む。このとき、係合部３２が押さえ片１６、１７の湾曲部１６ａ、１７ａを内側から外側に押しのけるようにして押さえ片１６、１７を弾性変形させつつ、係合部３２が下方に向かって挿入される。
【００３７】
そして、係合部３２が受け部１３ａに収納、保持されるとともに、押さえ片１６、１７が弾性変形前の位置に戻ろうとする。以上の操作により、係合部３２が受け部１３ａおよびヘルメット４により挟持される。このように、係合部３２をあたかもペン等のようにして熱中症計２をホルダ１に取り付けることができる。なお、熱中症計２をホルダ１に取り付けた状態では、回転防止用突起３３の底壁３３ａが、ホルダ１の切り込み１５における底部１５ａに当接する。
【００３８】
反対に熱中症計２をホルダ１から取り外すときは、熱中症計２を上方に向けて移動させ、押さえ片１６、１７を内側から外側に向けて弾性変形させながら熱中症計２を取り外せばよい。ホルダ１は、ペン等を容易に着脱できるように構成されたものである。このため、大きな力を必要としないで、且つ、ヘルメット４をしたまま熱中症計２をホルダ１から簡単に取り付けることができる。また、ヘルメット４をしたまま熱中症計２のみを取り外すことができる。ホルダ１から熱中症計２を取り外して、熱中症計２の表示部２１ａに表示された内容を確認することができる。自分自身ではなく、図１０に示すように熱中症計２をホルダ１に装着したまま、他の作業者が表示部２１ａに表示された内容を確認してもよい。
【００３９】
なお、本発明の一実施形態では熱中症計２の取付部３に突起部３５ａ、３５ｂ、３５ｃを設けている。図１１に示すように、各突起部の先端がヘルメット４の表面に当接することで、熱中症計２が傾くことを防止し熱中症計２を略直立した状態で保持することができる。さらに、上方に位置する突起部３５ａの大きさを、下方に位置する突起部３５ｂ、３５ｃの大きさより大きくすることで、通常、曲面とされるヘルメットの表面に各突起部の先端を確実に当接させることができる。以上のように、各突起部を設けることにより、様々な形状のヘルメットに対して熱中症計２を安定した姿勢で保持することが可能となる。
【００４０】
また、本発明の一実施形態では、熱中症計２の取付部３に回転防止用突起３３を設けている。この回転防止用突起３３をホルダ１に形成された平面（この例では底部１５ａ）に当接させることにより、熱中症計２自身の重さ（自重）や衝撃等によりヘルメット４のユーザの左右方向に熱中症計２が回転してしまうことを防止できる。
【００４１】
＜２．変形例＞
以上、本発明の一実施形態について説明したが、本発明は上述した実施形態に限定されるものではなく、本発明の技術思想の範囲内において種々の変更が可能である。以下、変形例について説明する。
【００４２】
回転防止用突起３３の突起の形状や形成位置は、上述した一実施形態に限定されるものではない。また、係合部３２に回転防止部を設けてもよい。例えば、図１２Ａに示すように、係合部３２に板状部材５１を接続した構成でもよい。図１２Ｂに示すように、ホルダ１に熱中症計２を取り付けた状態で、板状部材５１をホルダ１とヘルメット４との間に配置する。これにより、例えば熱中症計２が左右方向に回転する場合に、板状部材５１がヘルメット４の外側面や内壁１０ａに当接し、熱中症計２が回転してしまうことを防止できる。板状部材５１を設けた場合に、回転防止用突起３３は設けてもよく設けなくてもよい。すなわち、連結部３１および係合部３２の少なくとも一方に回転防止部が設けられていればよい。
【００４３】
上述した実施形態では、取付部３の突出部３１ａが筐体２１の背面にある電池蓋２１ｅから突出する構成としたがこれに限定されるものではない。例えば、筐体２１の底面付近から下方や斜め下方向に突出部３１ａが突出してもよい。突出部３１ａは、筐体２１とホルダ１との間に所定間隔（クリアランス）を設けるものであれば、その形成位置、長さ等が特定のものに限定されるものではなく、突出部３１ａを含む連結部３１の形状は適宜、変更することができる。
【００４４】
上述した一実施形態では、取付部に突起部３５ａ、３５ｂ、３５ｃを設ける構成としたが、これに限定されるものではない、突起部３５ａのみでもよく、突起部３５ｂおよび突起部３５ｃのみでもよい。すなわち、連結部３１および係合部３２の少なくとも一方に突起部が形成されていればよい。また、ホルダ１を介して熱中症計２をヘルメット４に取り付けた際に、例えば表示部２１ａの画面が他者から見やすい位置となるべく略垂直した状態で熱中症計２を保持できるのであれば、突起部３５の形状、個数、形成位置等が特定のものに限定されるものではない。
【００４５】
本発明における測定装置を取付可能なホルダは、上述したホルダ１に限定されるものではない。ペン等を保持する受け部を有するホルダに対して、本発明の測定装置を取り付けることができる。係合部３２の形状は、受け部に保持される形状であれば円筒状に限定されるものではなく、断面が矩形や多角形でもよい。なお、ペン等を保持する用途でホルダ１を使用する場合は、熱中症計２と同様にしてペン等を受け部１３ａに差し込めばよい。
【００４６】
本発明の測定装置は、鍔がある工事用のヘルメットに限定されるものではなく、鍔がない工事用のヘルメットに取り付けることも可能である。また、本発明の測定装置は、バイク、自転車に乗る際に装着されるヘルメットにも取り付けることができ、頭部を保護する保護帽に広く適用可能である。また、本発明の測定装置は熱中症計に限定されるものではなく、温度計、騒音計測装置、ガス濃度計測装置、放射能計測装置等の他の測定装置に対しても適用することができる。
【００４７】
上述した一実施形態では、取付部３が筐体２１に接続された構成として説明したが、取付部３が筐体２１に着脱自在でもよい。すなわち、ホルダ１に熱中症計２を取り付ける場合にのみ筐体２１に取付部３を取り付けるようにし、その他の場合には、熱中症計２をそのまま携帯してもよく、首から紐等によりぶら下げるようにしてもよい。このようにして、様々な用途に応じて熱中症計２を使用することができる。
【符号の説明】
【００４８】
１：ホルダ
２：熱中症計
３：取付部
４：ヘルメット
１１：底壁
１３ａ：受け部
２１：筐体
３１：連結部
３１ａ：突出部
３２：係合部
３３：回転防止用突起
３５ａ，３５ｂ，３５ｃ：突起部
４２：外周縁
５１：板状部材
【図１】
0006475989.tif 000002
【図２】
0006475989.tif 000003
【図３】
0006475989.tif 000004
【図４】
0006475989.tif 000005
【図５】
0006475989.tif 000006
【図６】
0006475989.tif 000007
【図７】
0006475989.tif 000008
【図８】
0006475989.tif 000009
【図９】
0006475989.tif 000010
【図１０】
0006475989.tif 000011
【図１１】
0006475989.tif 000012
【図１２】
0006475989.tif 000013